(57)【要約】【課題】商品を投入して閉じた上部のみならず、底部の不正開封をも防止できるようにした不正開封防止カートンを提供する。【解決手段】角筒状をした胴部を有し、胴部の底部には、底面外側フラップ１０，１１の折返し糊代片８，９をそれぞれ隣接する底面内側フラップ６，７に糊付け領域８ａ，９ａで貼り合わせた構造のオートボトムを有し、胴部の上部には、破損部位なしでは開けることができない構造の蓋パネルを有しており、底面外側フラップ１０，１１の折返し糊代片８，９における糊付け領域８ａ，９ａはツナギのある切れ線αで囲まれ、底面内側フラップ６，７と強接着されている。蓋パネルを開けようとすると破損部位を生じてしまうし、底部のオートボトムを剥がして開けようとすると、折返し糊付け片８，９における糊付け領域８ａ，９ａのツナギが破断され、糊付け領域８ａ，９ａが底面内側フラップ６，７の上に残った状態になる。【選択図】図２
2014015220.tif 000002
【特許請求の範囲】
【請求項１】
角筒状をした胴部を有し、胴部の底部には、底面外側フラップの折返し糊代片をそれぞれ隣接する底面内側フラップに糊付け領域で貼り合わせた構造のオートボトムを有し、胴部の上部には、破損部位なしでは開けることができない構造の蓋パネルを有してなるカートンであって、底面外側フラップの折返し糊代片における糊付け領域はツナギのある切れ線で囲まれ、底面内側フラップと強接着されていることを特徴とする不正開封防止カートン。
【発明の詳細な説明】
【技術分野】
【０００１】
本発明は、商品を収納する包装用カートンの技術分野に属し、詳しくは、一旦開封すると元の状態に戻らないようにした不正開封防止カートンに関するものである。
【背景技術】
【０００２】
従来より、商品を収納する包装用カートンにあっては、組立て工程を簡略化する場合や、あるいは人手で組み立てたりする場合など、接着剤を使用せずに組立てのみで蓋パネルの開封を防止することが望まれている。そして、このようなカートンにあっては、流通過程や展示販売時における不正開封を確認するため、開封部位にシールを貼り付けたり、全体をシュリンク包装を施すことが行われていたが、カートン費用が高くなったり、また人件費が嵩んだりすることから、蓋パネルを一旦開封すると元の状態に戻らないようにした不正開封防止カートンを使用することも行われている。
【０００３】
例えば、特許文献１に記載の不正開封防止ケースでは、オートボトムになった底部を組み立てて角筒状に起こし、商品を投入してから蓋をすると、蓋パネルの先端にある差込み片がスリットに入り込んで嵌め殺し状態になるようにしてあり、ケースを閉じた状態から開封するには、蓋パネルを横断するように設けたジッパーを引き裂くか、或いは、蓋パネルの折込み線側に設けた円弧状のハーフカット又はミシン目カットを押し潰すかしないと開封することができないようにしている。
【先行技術文献】
【特許文献】
【０００４】
【特許文献１】実用新案登録第３１０２８１１号公報
【発明の概要】
【発明が解決しようとする課題】
【０００５】
上記の不正開封防止ケースは、ケースに収容した商品を抜き盗ったり、すり替えたりするには、ジッパーを引き裂くか、押込み部を押し潰すかしなければならず、上部の蓋パネルを開ける不正行為があったときは直ちに判明するというものであるが、底部のオートボトムを巧妙に剥がして開封し、商品を見た後で再封するといったような事態には対処することができない。
【０００６】
本発明は、このような事情に鑑みてなされたものであり、その目的とするところは、商品を投入して閉じた上部のみならず、底部の不正開封をも防止できるようにした不正開封防止カートンを提供することにある。
【課題を解決するための手段】
【０００７】
上記の目的を達成するため、本発明の不正開封防止カートンは、角筒状をした胴部を有し、胴部の底部には、底面外側フラップの折返し糊代片をそれぞれ隣接する底面内側フラップに糊付け領域で貼り合わせた構造のオートボトムを有し、胴部の上部には、破損部位なしでは開けることができない構造の蓋パネルを有してなるカートンであって、底面外側フラップの折返し糊代片における糊付け領域はツナギのある切れ線で囲まれ、底面内側フラップと強接着されていることを特徴としている。
【発明の効果】
【０００８】
本発明の不正開封防止カートンは、上部の蓋パネルを開けようとすると破損部位を生じてしまうし、これを避けるために底部のオートボトムを剥がして開けようとすると、底面外側フラップの折返し糊代片における糊付け領域のツナギが破断され、糊付け領域が底面内側フラップの上に残った状態になるので、底部のオートボトムもまた破損なしでは開けることができないことから、商品を投入して閉じた上部のみならず、底部の不正開封をも防止することができる。
【図面の簡単な説明】
【０００９】
【図１】本発明に係る不正開封防止カートンの一例を示す斜視図である。
【図２】図１の不正開封防止カートンを底部側から見た状態で示す斜視図である。
【図３】図１に示す不正開封防止カートンを組み立てるブランクシートの展開図である。
【図４】図１に示す不正開封防止カートンの底部を無理に開封しようとする状態を示す斜視図である。
【図５】図１の不正開封防止カートンの変形例を示す斜視図である。
【発明を実施するための形態】
【００１０】
次に、本発明の実施形態について図面を参照しながら詳細に説明する。
【００１１】
図１は本発明に係る不正開封防止カートンＣの一例を示す斜視図、図２はそのカートンを底部側から見た状態の斜視図であり、このカートンは図３にその展開図を示すブランクシートＢを組み立てて形成される。
【００１２】
このブランクシートＢは、普通の紙器に用いられる板紙を打ち抜いたもので、図３に示すように、矩形状をした４つの側面パネル１〜４及び糊代片５が互いに平行な押罫を介してこの順で連設されている。
【００１３】
そして、側面パネル１，３の下辺にはそれぞれ台形状をした底面内側フラップ６，７が押罫を介して連設され、側面パネル２，４の下辺にはそれぞれ小さな三角形状の折返し糊代片８，９を有する大きな三角形状の底面外側フラップ１０，１１が押罫を介して連設されており、折返し糊代片８，９は折曲げやすさを考慮してそれぞれ途中に切線のあるリード罫を介して底面外側フラップ１０，１１と連設されている。
【００１４】
また、側面パネル１，３の上辺にはそれぞれ外蓋フラップ１２，１３が押罫を介して連設され、側面パネル２の上辺には内蓋フラップ１４が押罫を介して連設され、側面パネル４の上辺には蓋パネル１５が押罫を介して連設されている。
【００１５】
側面パネル２の上辺には、両端に「ハ」の字状の屈曲部分のあるスリットＳが、両サイドに押罫を残しつつ、内蓋フラップ１４側に僅かに突き出る状態で形成されている。そして、このスリットＳに対応するように、蓋パネル１５にはその先端に押罫を介して差込み片１６を連設してある。
【００１６】
この差込み片１６は、その横幅が屈曲部分を含むスリットＳの長さと略同じに設定されており、スリットＳに差込みやすくするため、その先端縁は丸く面取りされている。そして、差込み片１６における付け根側の半分は先端部より横幅が小さな縮小部になっており、その縮小部の付け根の両側にそれぞれ切欠ａを有するとともに、先端部との境界の両側にそれぞれ切込み線ｂが形成されている。さらに、蓋パネル１５には先端寄りの位置にこれを横断する状態で引裂きジッパーＺが設けられている。
【００１７】
底面外側フラップ１０，１１の折返し糊代片８，９は、組立て時にオートボトムを形成するために、それぞれ底面内側フラップ６，７と糊付け領域８ａ，９ａで貼り合わせられるが、これらの糊付け領域８ａ，９ａは、折返し糊代片８，９からの分離を可能とするため図示の如くツナギのある切れ線αで囲まれている。なお、この例では、図３に示すように、ツナギの内側にも小さな切れ線を設けてあり、ツナギが破断されにくい場合に、この内側の切れ線が外側の切れ線αと繋がることで、糊付け領域８ａ，９ａが分離されるようにしてある。
【００１８】
また、折返し糊代片８，９の糊付け領域８ａ，９ａには、塗布した糊を内部に浸透させるために複数のミシン目βが形成されており、この糊付け領域８ａ，９ａと貼り合わされる底面内側フラップ６，７の対応部位にも同様に複数のミシン目γが形成されている。
【００１９】
この図３に示すブランクシートＢを組み立てて図１及び図２に示す不正開封防止カートンＣを形成するが、その手順は通常のオートボトム型カートンと同様である。まず、折返し糊代片８，９を外向きに折り返した状態で底面外側フラップ１０，１１を内向きに折り返すとともに、底面内側フラップ６，７を内向きに折り返す。この折返し状態で、底面外側フラップ１０，１１の折返し糊代片８，９をそれぞれ底面内側フラップ６，７に貼り合わせるとともに、糊代片５を側面パネル１の先端裏側に貼り合わせて折り畳むことでサック貼り状態にする。このカートンＣの場合は、糊付け領域８ａ，９ａに複数のミシン目βが形成されているので、塗布した糊が浸透して強力に接着されることになる。このようにサック貼り状態にしたものを充填工程に供給する。
【００２０】
充填工程では、この折り畳んだブランクシートＢを角筒状に起こして胴部を形成すると、底面内側フラップ６，７と底面外側フラップ１０，１１とが自動的にロックされて底部にオートボトムが形成される。このように起函してから、商品を中身として入れ、内蓋フラップ１４を折り込み、外蓋フラップ１２，１３を折り込んでから、差込み片１６をスリットＳに差し込んで蓋パネル１５を閉じることで組立てを完了する。
【００２１】
このように組み立てられた不正開封防止カートンＣは、蓋パネル１５の先端にある差込み片１６がスリットＳの両端に引っ掛かって抜けなくなる。したがって、蓋パネル１５は嵌め殺し状態になり、カートンＣを開封するには、蓋パネル１５の先端側に設けた引裂きジッパーＺを破断することになる。すなわち、このカートンＣにおける蓋パネル１５は破損部位なしでは開けることができない構造となる。
【００２２】
そして、蓋パネル１５を開けないで、底部のオートボトムの方からカートンＣを不正開封しようとすると、折返し糊代片８，９を底面内側フラップ６，７から上手く剥がす必要があるが、剥がそうとすると、図４に示すように、糊付け領域８ａ，９ａのツナギが破断されてしまい、糊付け領域８ａ，９ａは底面内側フラップ６，７の上に残った状態になり、元の形に戻すことができなくなる。したがって、このカートンＣ内に収容した商品を抜き取ったり、すり替えたりするために、底部を開けたとしても、開けたことは直ぐに判明するので、不正開封は防止されることになる。
【００２３】
上記の不正開封防止カートンＣは、蓋パネル１５を開けるときの破損部位として蓋パネル１５に引裂きジッパーＺを設けたが、これに限定されるものではない。例えば、図５に示す不正開封防止カートンＣは、引裂きジッパーＺに代えて、スリットＳに隣接する状態で側面パネル２の上部に円弧状のミシン目Ｍ（ハーフカットでもよい）を設けたものである。この図５に示す不正開封防止カートンＣは、蓋パネル１５を開けるに際しては、スリットＳに隣接するミシン目Ｍ（ハーフカットでもよい）を押して破断しつつ差込み片１６を押し込まないと蓋パネル１５を開封することができない。
【００２４】
また、本発明の不正開封防止カートンＣは、蓋パネル１５を開ける際に破損部位を生じるようになっていればよいので、蓋パネル１５を嵌め殺し状態にする以外のやり方で蓋パネル１５を止めるようにしたものであってもよい。例えば、強力な接着剤を用いて糊付けしたり、強力なテープで止めるようにしたものでも構わないものである。
【００２５】
以上、本発明の実施の形態について詳細に説明してきたが、本発明による不正開封防止カートンは、上記実施の形態に何ら限定されるものではなく、本発明の趣旨を逸脱しない範囲において種々の変更が可能であることは当然のことである。
【符号の説明】
【００２６】
Ｃ  不正開封防止カートン
Ｂ  ブランクシート
１〜４  側面パネル
５  糊代片
６，７  底面内側フラップ
８，９  折返し糊代片
８ａ，９ａ  糊付け領域
１０，１１  底面外側フラップ
１２，１３  外蓋フラップ
１４  内蓋フラップ
１５  蓋パネル
１６  差込み片
Ｓ  スリット
Ｚ  引裂きジッパー
Ｍ  ミシン目
ａ  切欠
ｂ  切込み線
α  切れ線
β，γ  ミシン目
【図１】
2014015220.tif 000003
【図２】
2014015220.tif 000004
【図３】
2014015220.tif 000005
【図４】
2014015220.tif 000006
【図５】
2014015220.tif 000007